(57)【要約】【課題】  建物の外壁の壁面に沿って保護管を配管して、当該外壁を壁面側から保温する工事において、当該保護管が前記壁面に直接に当接しない構造にして保温性を高めることである。【解決手段】  建物の外壁Ｗ1 の壁面Ｗ1aに沿って配線・配管材の保護管Ｐを配管する際に、当該壁面Ｗ1aに貼着固定される所定幅の長尺シート状の断熱シートＳ1 であって、前記断熱シートＳ1 の一方の面には、前記壁面Ｗ1aに当該断熱シートＳ1 自体を固定可能な接着層（壁貼着面）２が形成され、当該壁面Ｗ1aに貼着された断熱シートＳ1 の他方の面の側には、前記保護管Ｐを当該断熱シートＳ1 に対して移動しないように保持する接着層（管保持部）２が形成された構成とする。【選択図】  図６
2010060054.tif 000002
【特許請求の範囲】
【請求項１】
建物内の壁面に沿って配線・配管材の保護管を配管する際に、当該壁面に貼着固定される所定幅の長尺シート状の断熱シートであって、
前記断熱シートの一方の面には、前記壁面に当該断熱シート自体を固定可能な壁貼着面が形成され、当該壁面に貼着された断熱シートの他方の面の側には、前記保護管を当該断熱シートに対して移動しないように保持する管保持部が形成されていることを特徴とする断熱シート。
【請求項２】
前記管保持部は、前記断熱シートの壁貼着面と反対の面に形成された接着層であって、前記保護管は、当該接着層に貼着されて断熱シートに対して保持されることを特徴とする請求項１に記載の断熱シート。
【請求項３】
前記管保持部は、前記断熱シートの幅方向の少なくとも一方から当該幅方向に延びる延設保持片の壁貼着面と反対の面に接着層が形成された構成であることを特徴とする請求項２に記載の断熱シート。
【請求項４】
前記管保持部は、前記断熱シートとは別体の紐状体で構成されることを特徴とする請求項１に記載の断熱シート。
【請求項５】
前記紐状体は、建物内の壁面と断熱シートとの間に自身の中間部が挟み込まれて、当該中間部を除く両側の各結束部が断熱シートの幅方向両側、又は幅内から前面側に引き出され、当該各結束部により保護管を断熱シートに対して結束する構成であることを特徴とする請求項３又は４に記載の断熱シート。
【請求項６】
前記断熱シートは、保持する保護管の外径よりも幅広に形成されていることを特徴とする請求項１ないし５のいずれかに記載の断熱シート。
【請求項７】
長尺シート状の断熱シートは、折畳み可能であって、しかも鋏、カッター等の切断具で容易に切断可能であることを特徴とする請求項１ないし６のいずれかに記載の断熱シート。
【請求項８】
建物内の壁面に沿って配線・配管材の保護管が配管された配管構造であって、
前記壁面と保護管との間に断熱シートが介在されて、当該断熱シートの一方の面が前記壁面に貼着されていると共に、前記断熱シートの他方の面である手前側には、前記保護管が当該断熱シートに対して移動しないように管保持部を介して保持されていることを特徴とする保護管の配管構造。
【請求項９】
所定幅の長尺状の断熱シートであって、一方の面は剥離紙で覆われて、建物内の壁面に貼着される貼着面を備えた断熱シートを用いて前記壁面に沿って配線・配管材の保護管を配管して、前記壁面に発泡断熱材を吹き付けて前記壁面を保温する保護管の配管方法であって、
前記壁面に沿って配管する保護管のうち少なくとも前記発泡断熱材を吹き付ける範囲の配管経路に沿って前記剥離紙を剥離させた断熱シートを貼着し、前面側に臨む前記断熱シートの他方の面上に前記保護管を配管して、当該他方の面の側に臨んで設けられた管保持部により前記保護管を保持させることにより、前記配管経路上において保護管と前記壁面との間に前記断熱シートを介在させた後に、前記壁面に向けて発泡断熱材を吹き付けて、前記断熱シート、及び保護管を発泡断熱材内に埋設させることを特徴とする保護管の配管方法。
【発明の詳細な説明】
【技術分野】
【０００１】
本発明は、建物内の壁面に沿って配線・配管材の保護管を配管する際に、当該壁面に貼着固定される所定幅の長尺シート状の断熱シート、保護管の配管構造、及びその配管方法に関するものである。
【背景技術】
【０００２】
建物の外壁Ｗ1 の内壁面Ｗ1aに沿って配管される電線、小径の管体等の配線・配管材の保護管Ｐの配管方法は、以下の通りであった。本発明に係る図１は、外壁Ｗ1 の内壁面Ｗ1aに沿って可撓性を有する保護管Ｐが垂直に配管されていると共に、天井壁Ｗ2 の部分で直角に屈曲されて、当該天井壁Ｗ2 の下面に沿って保護管Ｐが水平に配管された状態を示す模式的縦断面図である。図１を援用して、外壁Ｗ1 の内壁面Ｗ1aに沿って保護管Ｐを配管する際の従来の配管方法について説明する。特許文献１には、保護管Ｐを直接に内壁面Ｗ1aに当接させて針金等を使用して当該内壁面Ｗ1aに固定して、当該保護管Ｐにテープを貼り付け、この状態で発泡性二液ポリウレタン樹脂（発泡断熱材）を前記保護管Ｐが完全に隠蔽される厚さだけ吹き付けて、当該樹脂を発泡・硬化させて、外壁Ｗ1 を内側から保温している。
【０００３】
上記した配管方法では、保護管Ｐが外壁Ｗ1 の内壁面Ｗ1aに直接に当接しているために、外気温度が低くなる夜間において、温度の低下した外壁Ｗ1 により保護管Ｐの壁面当接部が冷却されると共に、保護管Ｐの全体は、室内温度に近い雰囲気内に配置されているため、保護管Ｐに結露が発生して外壁Ｗ1 の内壁面Ｗ1aが汚損されると共に、結露により発生した水滴が落下して外壁Ｗ1 の床面に対応する位置に当該水滴が溜まって不衛生であるという問題があった。
【０００４】
また、特許文献２には、壁面に沿って配管される保護管をサドルを使用して当該壁面に固定する方法が開示されている。このサドルを使用する配管方法においても、保護管Ｐが外壁Ｗ1 の内壁面Ｗ1aに直接に当接するので、上記と同様の結露の問題が発生する。
【特許文献１】特開２００１−５４２２５号公報
【特許文献２】実公平４−３６１９４号公報
【発明の開示】
【発明が解決しようとする課題】
【０００５】
本発明は、建物内の壁面に沿って保護管を配管して、当該壁面を保温する工事において、当該保護管が前記壁面に直接に当接しない構造にして保温性を高めることを課題としている。
【課題を解決するための手段】
【０００６】
上記の課題を解決するための請求項１の発明は、建物内の壁面に沿って配線・配管材の保護管を配管する際に、当該壁面に貼着固定される所定幅の長尺シート状の断熱シートであって、前記断熱シートの一方の面には、前記壁面に当該断熱シート自体を固定可能な壁貼着面が形成され、当該壁面に貼着された断熱シートの他方の面の側には、前記保護管を当該断熱シートに対して移動しないように保持する管保持部が形成されていることを特徴としている。
【０００７】
請求項１の発明によれば、断熱シートは、その一方の面に設けられた壁貼着面によって建物内の壁面に沿って貼着することができると共に、当該断熱シートの他方の面においては、当該他方の面に設けられた管保持部によって保護管を保持することができて、当該保護管は建物内の壁面に直接に当接せずに、当該保護管と前記壁面との間に断熱シートが介在される構造となる。よって、建物内の壁面に配管した保護管の部分が保温されるため、外気温度が低くなって壁が冷却されても、断熱シートの存在により保護管の冷却を抑制できて、結露の発生を防止、或いは抑制できる。また、結露の発生を防止するために用いられる断熱シートにより保護管を建物内の壁面に保持できて、別体の保持具又は固定具を必要としないか、又は使用する場合においてもその使用数を減らせるので、配管施工が容易となる。
【０００８】
また、請求項２の発明は、請求項１の発明において、前記管保持部は、前記断熱シートの壁貼着面と反対の面に形成された接着層であって、前記保護管は、当該接着層に貼着されて断熱シートに対して保持されることを特徴としている。
【０００９】
請求項２の発明によれば、断熱シートは、建物内の壁面に対して貼着されると共に、壁貼着面と反対の面に形成された接着層によって保護管を断熱シートに貼着させることができる。即ち、建物内の壁面と保護管との間に介在される断熱シートは、両面接着シート状に形成できるので、施工時における取扱い、及びその製作が容易となる。
【００１０】
また、請求項３の発明は、請求項２の発明において、前記管保持部は、前記断熱シートの幅方向の少なくとも一方から当該幅方向に延びる延設保持片の壁貼着面と反対の面に接着層が形成された構成であることを特徴としている。
【００１１】
請求項３の発明によれば、建物内の壁面と保護管との間に断熱シートを介在させて、当該断熱シートの壁貼着面と反対の面に形成された接着層に保護管を貼着させた状態で、当該断熱シートに設けられた延設保持片を当該保護管の周方向に沿って部分的に巻き付けることにより、接着層によって延設保持片を保護管に貼着させられる。これにより、建物内の壁面に貼着された断熱シートに対する保護管の保持が確実となる。
【００１２】
また、請求項４の発明は、請求項１の発明において、前記管保持部は、前記断熱シートとは別体の紐状体で構成されることを特徴としている。
【００１３】
請求項４の発明によれば、断熱シートとは別体の紐状体は、当該断熱シートに連結されていて、保護管は、建物内の壁面に貼着された断熱シートに対する貼着による保持と、紐状体による保持との双方によって保持されるので、断熱シートに対する保持が確実となる。
【００１４】
また、請求項５の発明は、請求項３又は４の発明において、前記紐状体は、建物内の壁面と断熱シートとの間に自身の中間部が挟み込まれて、当該中間部を除く両側の各結束部が断熱シートの幅方向両側、又は幅内から前面側に引き出され、当該各結束部により保護管を断熱シートに対して結束する構成であることを特徴としている。
【００１５】
請求項５の発明によれば、建物内の壁面に断熱シートが貼着された状態において、紐状体の中間部は、当該壁面と断熱シートとの間に挟み込まれて、当該断熱シートに連結されていて、断熱シートの中間部を除く両側の結束部によって断熱シートの前面側に貼着された保護管を結束できる。このように、断熱シートとは別体の紐状体は、その中間部が建物内の壁面と断熱シートとの間に挟み込まれて連結されているので、断熱シートの紐状体との連結が簡単であって、しかも両者は分離することなく確実に連結されているため、施工時における取扱いが容易となる。
【００１６】
また、請求項６の発明は、請求項１ないし５のいずれかの発明において、前記断熱シートは、保持する保護管の外径よりも幅広に形成されていることを特徴としている。
【００１７】
建物内の壁面に沿って保護管を配管して当該壁面に保護管を固定又は仮固定した後には、前記壁面に発泡断熱材を吹き付けて発泡・硬化させることにより、前記建物内の壁面を保温している。建物内の壁面と保護管とが当接している部分は僅かであって、建物内の壁面と保護管との当接部の両側には、鋭角状の空間部が形成され、当該空間部は鋭角状であるために、発泡断熱材の吹付け時において吹付け力のみでは、当該発泡断熱材が前記空間部の全てに充填されなくて、当該空間部の一部がそのまま残る場合があり、当該空間部の一方は建物内の壁面で構成されるために、当該空間部の断熱性は低い。ところが請求項６の発明によれば、断熱シートは、保持する保護管の外径よりも幅広に形成されているので、前記空間部の一部がそのまま残っても、残存した当該空間部は、断熱シートと保護管との間に形成されて、残存空間部は、当該断熱シートとの間に形成されるため断熱性の低下を防止又は抑制できる。
【００１８】
また、請求項７の発明は、請求項１ないし６のいずれかの発明において、長尺シート状の断熱シートは、折畳み可能であって、しかも鋏、カッター等の切断具で容易に切断可能であることを特徴としている。
【００１９】
請求項７の発明によれば、長尺シート状の断熱シートは、折畳み可能であって、しかも鋏、カッター等の切断具で容易に切断可能であるので、嵩張ることなく保管できると共に、施工現場において所望長に切断できるので、断熱シートの保管、及び施工時における取扱いが容易となる。
【００２０】
また、請求項８の発明は、建物内の壁面に沿って配線・配管材の保護管が配管された配管構造であって、建物内の壁面と保護管との間に断熱シートが介在されて、当該断熱シートの一方の面が前記壁面に貼着されていると共に、前記断熱シートの他方の面である手前側には、前記保護管が当該断熱シートに対して移動しないように管保持部を介して保持されていることを特徴としている。
【００２１】
請求項８の発明は、請求項１の発明を建物内の壁面に保護管が配管された後の構造である「保護管の配管構造」として把握したものであって、その実質的な作用効果は、請求項１の発明の作用効果とほぼ同様である。
【００２２】
また、請求項９の発明は、所定幅の長尺状の断熱シートであって、一方の面は剥離紙で覆われて、建物内の壁面に貼着される貼着面を備えた断熱シートを用いて前記壁面に沿って配線・配管材の保護管を配管して、前記壁面に発泡断熱材を吹き付けて前記建物の壁面を保温する保護管の配管方法であって、前記壁面に沿って配管する保護管のうち少なくとも前記発泡断熱材を吹き付ける範囲の配管経路に沿って前記剥離紙を剥離させた断熱シートを貼着し、前面側に臨む前記断熱シートの他方の面上に前記保護管を配管して、当該他方の面の側に臨んで設けられた管保持部により前記保護管を保持させることにより、前記配管経路上において保護管と前記壁面との間に前記断熱シートを介在させた後に、前記壁面に向けて発泡断熱材を吹き付けて、前記断熱シート、及び保護管を発泡断熱材内に埋設させることを特徴としている。
【００２３】
請求項９の発明は、両面の貼着面（接着面）が剥離紙で覆われ、しかも壁貼着面と反対の前面に保護管を保持可能な管保持部が形成された断熱シートを使用して、建物内の壁面に保護管を配管した後に、保護管の配管経路のうち発泡断熱材を吹き付けることが必要な範囲のみに当該発泡断熱材を吹き付けて、前記断熱シート及び保護管を発泡断熱材内に埋設させる配管方法であって、建物内の壁面に対して貼着可能であって、しかも前面側において保護管を貼着可能な断熱シートを用いて保護管の前記配管を行うために、当該配管作業が容易となる。
【発明の効果】
【００２４】
本発明によれば、断熱シートは、その一方の面に設けられた壁貼着面によって建物内の壁面に沿って貼着することができると共に、当該断熱シートの他方の面においては、当該他方の面に設けられた管保持部によって保護管を保持することができて、当該保護管は建物内の壁面に直接に当接せずに、当該保護管と前記壁面との間に断熱シートが介在される構造となる。よって、建物内の壁面に配管された保護管が保温されて、外気温度が低くなって建物壁が冷却されても、断熱シートの存在により保護管の冷却を抑制できて、結露の発生を防止、或いは抑制できる。また、結露の発生を防止するために用いられる断熱シートにより保護管を建物内の壁面に保持できて、別体の保持具又は固定具を必要としないので、配管施工が容易となる。
【発明を実施するための最良の形態】
【００２５】
以下、複数の実施例を挙げて、本発明について更に詳細に説明する。
【実施例１】
【００２６】
最初に、図１ないし図６を参照して、実施例１の断熱シートＳ1 の構成を説明し、その後に当該断熱シートＳ1 を用いて、建物の外壁Ｗ1 の内壁面Ｗ1aに沿って保護管Ｐを垂直に配管する場合について説明する。図２は、本発明に係る断熱シートＳ1 の斜視図であり、図３は、長手方向に沿った部分拡大断面図であり、図４は、外壁Ｗ1 の内壁面Ｗ1aに沿って断熱シートＳ1 を垂直にして貼着した斜視図であり、図５は、外壁Ｗ1 の内壁面Ｗ1aに貼着された断熱シートＳ1 の手前面に設けられた接着層２と延設保持片１ｂにより保護管Ｐを保持した状態の斜視図であり、図６（ａ），（ｂ）は、それぞれ図５における断熱シートＳ1 のシート本体１の一般部１ａ及び延設保持片１ｂの断面図である。
【００２７】
図２及び図３に示されるように、断熱シートＳ1 は、長尺シート状をなしていて、発泡ポリウレタン等の断熱材で構成されたシート本体１の両面に接着層２がそれぞれ形成され、両面の各接着層２は、それぞれ剥離紙３で被覆されている。シート本体１は、長尺状をした一定幅の一般部１ａと、当該一般部１ａの長手方向に沿って一定ピッチＱをおいた部分に幅方向の両側に延設された延設保持片１ｂとで構成される。延設保持片１ｂの両面も剥離紙３で被覆されている。また、最終工程において外壁Ｗ1 の内壁面Ｗ1aに発泡断熱材Ｍを吹き着付ける際に、横断面視で保護管Ｐの両側に発泡断熱材Ｍが充填されない未充填空間部が残り、当該未充填空間部が内壁面Ｗ1aとの間で発生して断熱性が低下されるのを防止するために、シート本体１の一般部１ａの幅Ｅ1 は、保持する保護管Ｐの外径Ｄよりも大きくなるように定められている。例えば、外径２３〜３０．５ｍｍの範囲の保護管Ｐを保持可能な断熱シートＳ1 の幅Ｅ1 は、３２〜４２ｍｍが望ましい。また、断熱シートＳ1 の厚さＴは、断熱性と施工性の双方を兼備させる観点からは、４〜６ｍｍが望ましい。また、シート本体１を構成している延設保持片１ｂのピッチＱは、シート本体１の一般部１ａに設けられた接着層２の保持力との関係で相対的に定められるものであって、当該接着層２の保持力が不足すると思われる場合には、前記ピッチＱは小さくする必要があると共に、当該保持力が比較的大きい場合には前記ピッチＱは大きくしてもよい。なお、シート本体１の長手方向に沿って同一位置において、幅方向の外側に延設された一対の延設保持片１ｂの幅は（Ｅ2)である。
【００２８】
また、断熱シートＳ1 は、長尺シート状をなしていて、その長さが１０〜５０ｍの場合のように長い場合には、保管時、運搬時等の非使用時には折り畳んだり、芯体に巻回して小体積化させることが可能であり、使用時において、折畳み状態又は巻回状態から引き出して使用する。断熱シートＳ1 の長さに関しては、予め設定長（例えば２ｍ）に切断されたものを束ねておいて、配管現場において、設定長に製作又は切断された断熱シートＳ1 を一枚ずつ外壁Ｗ1 の内壁面Ｗ1aに貼着させることが可能である。また、断熱シートＳ1 は、発泡材等からなるシート本体１の両面に剥離紙３を被覆した構成であって、当該剥離紙３は紙で製作されているので、断熱シートＳ1 は、施工現場における必要長に応じて、鋏、カッター等の切断具を使用して適宜長に切断して使用することが可能である。
【００２９】
また、延設保持片１ｂは、断熱シートＳ1 を外壁Ｗ1 の内壁面Ｗ1aに貼着して、当該断熱シートＳ1 の表側に接着層２を介して保護管Ｐが保持された状態で、当該保護管Ｐの外周面に貼着させる必要がある。このため、断熱シートＳ1 が外壁Ｗ1 の内壁面Ｗ1aに貼着された状態において、一般部１ａのみを内壁面Ｗ1aに貼着せて、延設保持片１ｂが内壁面Ｗ1aに貼着されるのを防止する必要がある。そこで、断熱シートＳ1 の表裏が存在しない場合、即ち、シート本体１の両面が、延設保持片１ｂの部分を含めて「連続一枚状」の剥離紙で覆われている場合には、外壁Ｗ1 の内壁面Ｗ1aに、一方の面の剥離紙３が剥離された断熱シートＳ1 を貼着させる際に、延設保持片１ｂを除く一般部１ａを強く内壁面Ｗ1aに押し付けて貼着し、延設保持片１ｂの部分は、内壁面Ｗ1aに押し付けることなくそのままにしておいて、後に延設保持片１ｂを手前側に引き寄せて保護管Ｐの外周面に貼着されられるようにしておく必要がある。一方、断熱シートＳ1 に表裏を存在させることが許容される場合には、剥離紙３における延設保持片１ｂの基端部（断熱シートＳ1 の一般部１ａの幅方向の両端縁に相当する部分）に、一般部１ａに被覆された部分の幅方向の両端縁に連続する部分に確実に分離可能なミシン目等を設けることにより、裏側（外壁Ｗ1 の内壁面Ｗ1aに貼着される側）の剥離紙３を剥離させる場合には、延設保持片１ｂには剥離紙３を残存させて、当該延設保持片１ｂを除く大部分を占有する一般部１ａの剥離紙３のみを剥離することが可能となる。これにより、内壁面Ｗ1aに貼着された断熱シートＳ1 の手前側の面に接着層２を介して保護管Ｐを保持させた後に延設保持片１ｂを手前側に引き寄せて、保護管Ｐの外周面に貼着させる際に、延設保持片１ｂにおける保護管Ｐに貼着させた状態で表側となる面には、剥離紙３が残存しているので、延設保持片１ｂの接着層２が作業者の手に付着する等の不具合がなくなって、保護管Ｐの外周面に対する延設保持片１ｂの貼着作業が容易、かつ確実となる利点がある。
【００３０】
そして、上記した断熱シートＳ1 を用いて外壁Ｗ1 の内壁面Ｗ1aに沿って保護管Ｐを垂直に配管して保持させるには、以下のようにして行う。保護管Ｐは、屈曲配管を可能にするために、縦断面視において凹凸を有していて「並付管」と俗称されている可撓管が使用される。まず、図４に示されるように、断熱シートＳ1 の一方の面の剥離紙３を剥がして接着層２を露出させ、保護管Ｐの配管予定位置に前記断熱シートＳ1 を接着層２を介して貼着させる。図１に示されるように、断熱シートＳ1 は、内壁面Ｗ1aの上端部において屈曲（わん曲）されて、外気の影響により冷却の恐れのある天井面における外壁Ｗ1 に近い部分まで貼着される。断熱シートＳ1 は、自在に屈曲できるので、外壁Ｗ1 と天井壁Ｗ2 との入隅部に屈曲させて配置させられる。この際の延設保持片１ｂの部分の扱いは、上記段落「００２９」で詳細に説明した通りである。
【００３１】
次に、図５及び図６に示されるように、外壁Ｗ1 の内壁面Ｗ1aに貼着された断熱シートＳ1 の表側となった面の剥離紙３を剥がして接着層２を露出させ、この状態で、内壁面Ｗ1aに貼着された断熱シートＳ1 の表面に接着層２を介して保護管Ｐを保持させると共に、シート本体１を構成する延設保持片１ｂを手前側に引き寄せて保護管Ｐの外周面に貼着させる。これにより、内壁面Ｗ1aに貼着された断熱シートＳ1 の表面に対して保護管Ｐは、シート本体１の表面側の接着層２及び多数の延設保持片１ｂを介して保持されるので、断熱シートＳ1 に対する保護管Ｐの保持が確実となる。ここで、延設保持片１ｂに関しては、シート本体１の一般部１ａの幅方向の両側に一定ピッチＱをおいて設けることなく、例えば、シート本体１の一般部１ａの幅方向の片側に交互に反対配置して設けることも可能である。また、延設保持片１ｂの延設長に関しては、特定サイズの断熱シートＳ1 で保持可能な保護管のサイズの範囲（外径の範囲）において定めることが望ましい。この場合において、保護管Ｐのサイズ（外径）に対して延設保持片１ｂが長過ぎる場合には、鋏、カッター等の切断具を用いて延設保持片１ｂを必要長に切断して使用すればよい。
【００３２】
次に、外壁Ｗ1 の内壁面Ｗ1aに発泡断熱材Ｍを吹き付けて発泡・硬化させることにより、前記内壁面Ｗ1aに断熱層Ａを形成する。ここで、図６（ａ）に示されるように、断熱シートＳ1 のシート本体１の一般部１ａの幅Ｅ1 は、保護管Ｐの外径Ｄよりも広く形成してあるので、断面視において保護管Ｐの両側に発泡断熱材Ｍの未充填空間３１が不可避的に発生するが、当該未充填空間３１は、断熱シートＳ1 のシート本体１の一般部１ａと保護管Ｐの外周面との間に形成されて、従来の配管構造のように、外壁Ｗ1 の内壁面Ｗ1aと保護管Ｐの外周面との間に形成されるのではないため、未充填空間３１が発生しても断熱シートＳ1 の存在によって保温性が確保できる。また、図６（ｂ）に示されるように、断熱シートＳ1 の延設保持片１ｂの部分においては、内壁面Ｗ1aに対して起立した延設保持片１ｂの基端部と当該内壁面Ｗ1aとの間に未充填空間３１’が発生するが、保護管Ｐにおける延設保持片１ｂの部分は、当該延設保持片１ｂにより両側部が覆われているので、保温性は確保される構造となる。なお、一般部１ａに対して起立させられた延設保持片１ｂと保護管Ｐの外周面との間に空間部３２が形成され、当該空間部３２は発泡・硬化した断熱層Ａ内に埋設された状態となって存在するため、保護管Ｐに対しては保温作用を有する断熱空間として機能する。
【００３３】
図１に示されるように、外壁Ｗ1 の内壁面Ｗ1aに配管された保護管Ｐは、天井壁Ｗ2 の部分でわん曲されて、当該天井壁Ｗ2 の下面に沿って配管されている。天井壁Ｗ2 の部分は屋内であるために保温の必要はないので、保護管Ｐは直接に天井壁Ｗ2 に当接されてサドルＢを用いて固定されていると共に、天井壁Ｗ2 の部分には発泡断熱材Ｍによる断熱層Ａは形成されていない。なお、図１において４１は、ボード壁を示し、４２は、天井壁を示す。
【００３４】
なお、上記した配管方法は、外壁Ｗ1 の内壁面Ｗ1aに断熱シートＳ1 を貼着させた後に、当該断熱シートＳ1 の表面側の接着層２に対して保護管Ｐを貼着保持させているが、断熱シートＳ1 の手前側となる接着層２に保護管Ｐの奥側の部分を貼着させた状態で、前記断熱シートＳ1 の背面側（内壁面Ｗ1aと対向する側）の接着層２を外壁Ｗ1 の内壁面Ｗ1aに貼着させることも可能である。また、図示されていないが、保護管ｐの端部は配線ボックスに連結され、当該保護管の内部に挿通されたケーブル（電線）が前記配線ボックス内へと配線される。
【００３５】
以下、図７ないし図１１を参照して、別の実施例２〜５の断熱シートＳ2 〜Ｓ5 について、その構成のみを順次説明する。
【実施例２】
【００３６】
次に、図７を参照して、実施例２の断熱シートＳ2 について説明する。図７は、断熱シートＳ2 を介して外壁Ｗ1 の内壁面Ｗ1aに保護管Ｐが保持された状態の部分斜視図である。断熱シートＳ2 は、全長に亘って保護管Ｐの外径Ｄよりも遥かに広い幅Ｅ2(実施例１の断熱シートＳ1 の左右一対の延設保持片１ｂと同一の幅Ｅ2 ）を有している点のみが前記断熱シートＳ1 と異なり、両面に接着層２を有している構成、及び当該各接着層２はいずれも剥離紙３で被覆されている構成は、前記断熱シートＳ1 と同一である。このため、内壁面Ｗ1aに貼着された断熱シートＳ2 の手前側（前面側）の接着層２の幅方向の中間部に保護管Ｐを配置・保持させた状態において、断熱シートＳ2 における当該保護管Ｐの両側の部分を手前側に引き起こして、当該保護管Ｐの全長に亘ってその外周面に貼着させる。断熱シートＳ2 に対する保護管Ｐの貼着面積が大きくなる。この結果、断熱シートＳ2 に対する保護管Ｐの保持力が大きくなって、保持状態が安定する利点がある。なお、実施例２の断熱シートＳ2 は、全長に亘って実施例１の断熱シートＳ1 の延設保持片１ｂが設けられた構成であると把握することもできる。
【実施例３】
【００３７】
次に、図８を参照して、実施例３の断熱シートＳ3 について説明する。図８は、断熱シートＳ3 及びサドルＢを介して外壁Ｗ1 の内壁面Ｗ1aに保護管Ｐが保持された状態の部分斜視図である。断熱シートＳ3 の幅Ｅ1 は、前記断熱シートＳ1 のシート本体１の一般部１ａの幅Ｅ1 と同一であって、保護管Ｐの外径Ｄよりも大きい。外壁Ｗ1 の内側面Ｗ1aに貼着された断熱シートＳ3 の手前側の接着層２に保護管Ｐを押し付けて貼着保持させた状態で、保護管Ｐの長手方向に沿った所定位置にサドルＢにより保護管Ｐを内壁面Ｗ1aに固定している。このように、外壁Ｗ1 の内壁面Ｗ1aに保護管Ｐを保持させるのに、断熱シートＳ3 による保持と、サドルＢによる固定とを併用させているので、前記内壁面Ｗ1aに対して保護管Ｐを直接に当接させることなく、即ち保温性を維持して確実に保持できる。この施工方法では、外壁Ｗ1 の内壁面Ｗ1aに保護管Ｐを保持させるのに、サドルＢのみではなくて、保温機能を有する断熱シートＳ3 を併用しているので、サドルＢのみで固定する従来の配管方法に比較して、サドルＢの使用数を激減させられる。なお、断熱シートＳ3 の保持部としての機能を果す接着層２が保護管Ｐを保持するのに十分な接着力（保持力）を有するならば、必ずしもサドルＢを併用させる必要はない。
【実施例４】
【００３８】
次に、図９及び図１０を参照して、実施例４の断熱シートＳ4 について説明する。図９は、断熱シートＳ4 を介して外壁Ｗ1 の内壁面Ｗ1aに保護管Ｐが保持された状態の部分斜視図であり、図１０は、断熱シートＳ4 に挟み込まれた紐状体Ｆ1 の部分の拡大横断面図である。断熱シートＳ4 は、前記断熱シートＳ3 と、当該断熱シートＳ3 の長手方向に沿って所定ピッチをおいた複数の部分に中間部Ｆ1aが挟み込まれた針金で構成された複数の紐状体Ｆ1 とから成る。針金から成る紐状体Ｆ1 は、シート本体１の両面が剥離紙３で覆われた状態において、断熱シートＳ3 の幅方向の中間部に裏面側から当該紐状体Ｆ1 の両端部が所定幅をおいて当該断熱シートＳ3 の幅内に挿入配置されて表側に突出させることにより、当該紐状体Ｆ1 の中間部Ｆ1aのみが裏面側に配置された状態で断熱シートＳ3 に挟み込まれていて、当該紐状体Ｆ1 の大部分を占める結束部Ｆ1bが断熱シートＳ3 の表側に配置されている。紐状体Ｆ1 は、手で容易に折り曲げ可能であって、断熱シートＳ3 の表側において保護管Ｐを結束するのに十分な長さを有している。
【００３９】
そして、断熱シートＳ4 を使用して、外壁Ｗ1 の内壁面Ｗ1aに垂直に配管された保護管Ｐを当該内壁面Ｗ1aに保持させるには、以下のようにして行う。まず、上記のようにして複数の紐状体Ｆ1 が挟み込まれている断熱シートＳ4 の両面の剥離紙３を紐状体Ｆ1 の部分を破断させて剥離させる。この状態の断熱シートＳ4 を構成する断熱シートＳ3 の部分を内壁面Ｗ1aに貼着させた後に、紐状体Ｆ1 の両端部を断熱シートＳ3 の幅方向の外側に配置した状態で、当該断熱シートＳ3 の表側の接着層２に保護管Ｐを押し付けて貼着させて、保護管Ｐを断熱シートＳ3 に保持させる。この状態で、断熱シートＳ3 の長手方向に沿って所定間隔をおいて挟み込まれた紐状体Ｆ1 の中間部Ｆ1aの両側の結束部Ｆ1bにより保護管Ｐを結束させる。これにより、外壁Ｗ1 の内壁面Ｗ1aに貼着された断熱シートＳ3 に対して保護管Ｐは、当該断熱シートＳ3 の接着層２の貼着力（接着力）と、複数の紐状体Ｆ1 の結束力との双方によって保持されるので、保持力が大きくなると共に、保持自体が確実となる。特に、針金から成る紐状体Ｆ1 の中間部Ｆａは、断熱シートＳ4 を構成する断熱シートＳ3 の部分の幅方向の中央部の幅内に挟み込まれているため、保護管Ｐに対する結束周長が長くなって、断熱シートＳ3 に対する保持力が大きくなる利点がある。
【実施例５】
【００４０】
次に、図１１を参照して、実施例５の断熱シートＳ5 について説明する。図１１は、断熱シートＳ5 に挟み込まれた紐状体Ｆ2 の部分の拡大横断面図である。断熱シートＳ5 は、断熱シートＳ4 に対して、断熱シートＳ3 に対する紐状体Ｆ2 の挟み込み形態が異なるのみであるので、この部分についてのみ説明する。即ち、断熱シートＳ5 を構成する紐状体Ｆ2 の中間部Ｆ2aは、シート本体１の一般部１ａの全幅に亘って配置されて、左右一対の結束部Ｆ2bは、幅方向の両端から表面側に引き出されている構成が、断熱シートＳ4 と異なるのみである。なお、断熱シートＳ5 のシート本体１と剥離紙３との間に紐状体Ｆ2 を挟み込んでおくと、配管現場において紐状体Ｆ2 を別途持参したり、探したりする必要がなくて、作業が容易となる。
【００４１】
なお、実施例２〜５の各断熱シートＳ2 〜Ｓ5 においても、予め保護管Ｐに断熱シートＳ2 〜Ｓ5 を貼着させておいて、保護管Ｐの背面側に貼着された断熱シートＳ2 〜Ｓ5 を内壁面Ｗ1aに貼着させることができる。
【図面の簡単な説明】
【００４２】
【図１】外壁Ｗ1 の内壁面Ｗ1aに沿って可撓性を有する保護管Ｐが垂直に配管されていると共に、天井壁Ｗ2 の部分で直角に屈曲されて、当該天井壁Ｗ2 の下面に沿って保護管Ｐが水平に配管された状態を示す模式的縦断面図である。
【図２】本発明に係る断熱シートＳ1 の斜視図である。
【図３】同じく長手方向に沿った部分拡大断面図である。
【図４】外壁Ｗ1 の内壁面Ｗ1aに沿って断熱シートＳ1 を垂直にして貼着した斜視図である。
【図５】外壁Ｗ1 の内壁面Ｗ1aに貼着された断熱シートＳ1 の手前面に設けられた接着層２と延設保持片１ｂにより保護管Ｐを保持した状態の斜視図である。
【図６】（ａ），（ｂ）は、それぞれ図５における断熱シートＳ1 のシート本体１の一般部１ａ及び延設保持片１ｂの断面図である。
【図７】断熱シートＳ2 を介して外壁Ｗ1 の内壁面Ｗ1aに保護管Ｐが保持された状態の部分斜視図である。
【図８】断熱シートＳ3 及びサドルＢを介して外壁Ｗ1 の内壁面Ｗ1aに保護管Ｐが保持された状態の部分斜視図である。
【図９】断熱シートＳ4 を介して外壁Ｗ1 の内壁面Ｗ1aに保護管Ｐが保持された状態の部分斜視図である。
【図１０】断熱シートＳ4 に挟み込まれた紐状体Ｆ1 の部分の拡大横断面図である。
【図１１】断熱シートＳ5 に挟み込まれた紐状体Ｆ2 の部分の拡大横断面図である。
【符号の説明】
【００４３】
Ａ：発泡断熱材による断熱層
Ｄ：保護管の外径
Ｅ1 ：シート本体の一般部の幅
Ｅ2 ：シート本体の延設保持片の幅
Ｆ1,Ｆ2 ：紐状体
Ｆ1a, Ｆ2a：紐状体の中間部
Ｆ1b, Ｆ2b：紐状体の結束部
Ｍ：発泡断熱材
Ｐ：保護管
Ｓ1 〜Ｓ5 ：断熱シート
Ｗ1 ：外壁
Ｗ1a：内壁面（壁面）
１：シート本体
１ａ：シート本体の一般部
１ｂ：シート本体の延設保持片（壁保持部）
２：接着層（管保持部、管貼着面）
３：剥離紙
【図１】
2010060054.tif 000003
【図２】
2010060054.tif 000004
【図３】
2010060054.tif 000005
【図４】
2010060054.tif 000006
【図５】
2010060054.tif 000007
【図６】
2010060054.tif 000008
【図７】
2010060054.tif 000009
【図８】
2010060054.tif 000010
【図９】
2010060054.tif 000011
【図１０】
2010060054.tif 000012
【図１１】
2010060054.tif 000013